(57)【要約】【課題】  保持器付自動調心ころ軸受において、玉３を保持器４のポケット９へのカチ込み作業を容易にして、組み立て作業の効率化を図る。【解決手段】  保持器４の隣り合う柱部８の側面に形成した玉抜け止め部1０よりもリム部側の柱部８に、玉抜け止め部1０における柱部８の幅よりも細幅の括れ部１２を設けることにより、側方から玉３をカチ込む際に、括れ部１２で柱部８が広がる方向に撓み易くし、隣り合う柱部８間に玉３を容易に収容することができるようにした。【選択図】図４
2010121649.tif 000002
【特許請求の範囲】
【請求項１】
球状凹面である外輪軌道を、その内周面に形成した外輪と、この外輪軌道と対向する１対の内輪軌道を、その外周面に形成した内輪と、これら外輪軌道と内輪軌道との間に、２列に分けて、両列毎に複数個ずつ転動自在に配列された玉と、これら各玉を転動自在に保持する複数のポケットを備えた保持器とから成り、この保持器は、上記両列の玉同士の間に配置される円環状のリム部と、このリム部の両側面の外周縁から側方に突出するようにそれぞれ等間隔で配置される柱部とを有し、リム部の各側面の円周方向に隣り合う柱部間に上記玉を転動自在に保持するポケットを備え、隣り合う柱部の先端側の間隔をポケットに収容する玉の直径よりも狭くしてポケット側方への玉の抜け止めを行う玉抜け止め部が柱部の側面に形成されている保持器付自動調心玉軸受において、上記隣り合う柱部の側面に形成した玉抜け止め部よりもリム部側の柱部に、玉抜け止め部における柱部の幅よりも細幅の括れ部を設けたことを特徴とする保持器付自動調心玉軸受。
【請求項２】
上記柱部の玉抜け止め部から先端側部分に、隣り合う柱部間のポケット間隔が広がる傾斜ガイドを設けたことを特徴とする請求項１に記載の保持器付自動調心玉軸受。
【請求項３】
上記柱部の両側面が、内径側から外径側に向かって隣り合う柱部間のポケット間隔が狭まる傾斜面に形成されている請求項１又は２に記載の保持器付自動調心玉軸受。
【請求項４】
上記柱部の両側面が、隣り合う柱部間のポケット間に収容した玉の円弧の向きと逆向きの円弧面に形成されている請求項１〜３のいずれかの項に記載の保持器付自動調心玉軸受。
【請求項５】
上記柱部の両側面が、隣り合う柱部間のポケット間に収容した玉の円弧の向きと同じ向きの円弧面に形成されている請求項１〜３のいずれかの項に記載の保持器付自動調心玉軸受。
【請求項６】
上記柱部の両側面の円弧面の曲率半径を、ポケットに収容した玉の曲率半径よりも大きくした請求項５に記載の保持器付自動調心玉軸受。
【請求項７】
上記柱部両側面の外径側と内径側のコーナー部を、円弧面に形成した請求項１〜６のいずれかの項に記載の保持器付自動調心玉軸受。
【請求項８】
上記柱部の先端面の外径側と内径側のコーナー部を、円弧面に形成した請求項１〜７のいずれかの項に記載の保持器付自動調心玉軸受。
【請求項９】
上記円環状のリム部と、このリム部の両側面の外周縁に、内輪の軸方向と同じ方向にそれぞれ等間隔で配置される柱部とが、金属板の打ち抜き加工によって形成されている請求項１〜８のいずれかの項に記載の保持器付自動調心玉軸受。
【請求項１０】
上記柱部の側面の打ち抜き面を、決め押し成型したことを特徴とする請求項９に記載の保持器付自動調心玉軸受。
【発明の詳細な説明】
【技術分野】
【０００１】
この発明は、保持器付自動調心玉軸受に関するものである。保持器付自動調心玉軸受は、外輪の軌道が球面で、その曲率中心が軸受中心と一致するように形成されているため、内輪、玉、保持器は軸受中心の周りを自由に回転することができる調心性があり、軸とハウジングの心合せが困難な個所や軸がたわみやすい伝動軸などに使用されている。
【背景技術】
【０００２】
保持器付自動調心玉軸受としては、従来、図９に示す構造のものが知られている。この保持器付自動調心玉軸受は、互いに同心に組み合わされた外輪３１と内輪３２との間に、複数の玉３３、３３を転動自在に配列している。そして、保持器３４により、内輪３２、玉３３、保持器３４が軸受中心の周りを自由に回転した際においても、玉３３が外方へ抜け出すことを防止している。
【０００３】
上記外輪３１の内周面には、図１０に示すように、単一の中心を有する球状凹面である外輪軌道３５を形成している。また、内輪３２の外周面には、それぞれが上記外輪軌道３５と対向する、１対の内輪軌道３６、３６を形成している。
【０００４】
この保持器３４は、図１０及び図１１に示すように、上記両列の玉３３、３３同士の間に配置される円環状のリム部３７と、このリム部３７の両側面の外周縁に、軸方向に突出してそれぞれ等間隔で配置される柱部３８とを有し、リム部３７の各側面の円周方向に隣り合う柱部３８間に上記玉３３を転動自在に保持するポケット３９を備え、隣り合う柱部３８、３８の先端側の間隔をポケット３９に収容する玉３３の直径よりも狭くし、玉３３がポケット３９の軸方向側方へ抜け止めする玉抜け止め部４０を柱部３８の側面に形成している。また、上記円環状のリム部３７の内径側には、各柱部３８に対応して、隣り合う玉３３同士が干渉しないようにする補助柱部４１を設けている。
【０００５】
保持器３４は、図１２に示すように、打ち抜き加工した金属板４４を折り曲げ成形したものであり、円環状のリム部３７の外径側に柱部３８、３８を形成する部分、内径側に補助柱部４１を形成する部分が並び、金属板４４を打ち抜き加工した後、外径側の柱部３８、３８を形成する部分と、内径側の補助柱部４１を形成する部分とを、円環状のリム部３７を中心にして、その両側に交互に並ぶように折り曲げて、図１１に示すような形状に成形される。図１２には、柱部３８と補助柱部４１の折り曲げ方向を矢印Ｆ、Ｇで示しており、矢印Ｆは紙面の手前側の方向、Ｇは紙面の裏側方向に互いに逆方向を向いている。
【０００６】
上記構造の保持器付自動調心ころ軸受は、例えばハウジングの内側に回転軸を支承する場合に、外輪３１をハウジングに内嵌固定し、内輪３２を回転軸に外嵌固定して使用する。回転軸と共に内輪３２が回転する場合には、複数の玉ころ３３、３３が転動して、この回転を許容する。そして、ハウジングの軸心と回転軸の軸心ずれた場合には、外輪３１の中心軸に対し内輪３２の中心軸を傾斜させることにより、外輪３１の内側で内輪３２が調心され、このずれが修正されるようになっている。この場合において、外輪軌道３５は単一球面状に形成されているため、上記複数の玉ころ３３、３３の転動は、ずれ修正後においても、円滑に行なわれる。
【発明の開示】
【発明が解決しようとする課題】
【０００７】
ところで、上記構造の保持器付自動調心ころ軸受を組み立てる場合には、まず、図１３に示すように、内輪３２の外周に保持器３４を嵌めた状態で、図１４に示すように、隣り合う柱部３８、３８間に、側方から玉３３をカチ込み、保持器４の各ポケット３９に玉３３を収容する。各ポケット３９に玉３３が収容されると、玉３３は、隣り合う柱部３８、３８の玉抜け止め部４０と、内輪３２の内輪軌道３６、３６の外側壁との３点により、軸方向の外方への抜け止めが図られる。
【０００８】
このように、保持器３４の各ポケット３９への玉３３の収納は、図１４に示すように、隣り合う柱部３８、３８間に側方から玉３３をカチ込みすることによって行っているので、柱部３８、３８間のカチ込み代が大きい場合には、大きなカチ込み力を要し、組み立て作業に手間が掛かると共に、組み立て作業員がカチ込みの際に、勢い余って手を滑らして手を柱部３８によって傷つける恐れがあった。
【０００９】
また、従来の保持器３４は、上記のように、打ち抜き金属板を折り曲げて形成しているので、図１３に矢印 Ｈで囲んだ部分を拡大した図１５の拡大図に示すように、各柱部３８の側面は、打ち抜き断面で角ばった形状をしている。このため、柱部３８の角が玉３３に当たって、玉３３を傷つける恐れがあり、また、角部で潤滑油が掻き取られ、潤滑性能を低下させる恐れがあった。
【００１０】
さらに、各柱部３８と玉３３とが角当たりすると、各ポケット３９内での玉３３の安定性に欠けるという問題もあった。
【００１１】
そこで、この発明は、隣り合う柱部３８、３８間に側方から玉３３をカチ込み易くすることにより、保持器３４の各ポケット３９への玉３３の収納を容易にして、組み立て作業の効率化を図ることを技術的課題とするものである。
【００１２】
また、この発明は、カチ込み作業中における作業員の怪我を未然に防ぐことも別の技術的課題とするものである。
【００１３】
さらに、この発明は、玉３３への潤滑性能を向上させると共に、各ポケット３９内での玉３３の安定性を向上させ、一層の高速運転を可能にすることも別の技術的課題とするものである。
【課題を解決するための手段】
【００１４】
まず、この発明は、隣り合う柱部間に側方から玉をカチ込み易くするために、隣り合う柱部の側面に形成した玉抜け止め部よりもリム部側の柱部に、玉抜け止め部における柱部の幅よりも細幅の括れ部を設けるという構成を採用したのである。
【００１５】
このように、玉抜け止め部よりもリム部側の柱部に、玉抜け止め部における柱部の幅よりも細幅の括れ部を設けると、隣り合う柱部間に側方から玉をカチ込む際に、括れ部で柱部が広がる方向に撓み、隣り合う柱部間に玉を容易に収容することができる。
【００１６】
次に、この発明は、柱部の玉抜け止め部から先端側部分に、隣り合う柱部間のポケット間隔が広がる傾斜ガイドを設けるという構成を採用したのである。
【００１７】
このように、柱部の玉抜け止め部から先端側部分に、隣り合う柱部間のポケット間隔が広がる傾斜ガイドを設けると、隣り合う柱部間に側方から玉をカチ込む際に、玉は柱部の先端部分の傾斜ガイドに当たるので、玉をそのまま押し込むと、傾斜ガイドによって隣り合う柱部が互いに広がり、玉が柱部の玉抜け止め部を乗り越えて、柱部間のポケットに玉が容易に収まる。
【００１８】
次に、この発明は、上記柱部の両側面が、内径側から外径側に向かって隣り合う柱部間のポケット間隔が狭まる傾斜面にするという構成を採用したのである。
【００１９】
このように、上記柱部の側面を、内径側から外径側に向かって隣り合う柱部間のポケット間隔が狭まる傾斜面にすると、柱部の側面が、玉の円弧面に沿う方向に傾斜するため、柱部の角部が玉に角当たりすることがなく、潤滑油の掻き取りを防止し、玉を安定した状態でポケット内に収容することができる。
【００２０】
また、この発明は、上記柱部の側面を、隣り合う柱部間のポケット間に収容した玉の円弧の向きと逆向きの円弧面に形成するという構成を採用したのである。
【００２１】
このように、上記柱部の側面を、隣り合う柱部間のポケット間に収容した玉の円弧の向きと逆向きの円弧面に形成することにより、柱部の角部が玉に角当たりすることがなく、玉の円弧と柱部の逆向きの円弧により、玉と柱部との接触部分の両側に潤滑油溜めができ、潤滑効果が向上すると共に、玉への傷つきを防止することができる。また、玉と柱部との接触面積が小さく、接触抵抗が抑えられて低トルク化が図られるため、一層の高速運転が可能になる。
【００２２】
また、この発明は、上記柱部の両側面を、隣り合う柱部間のポケット間に収容した玉の円弧の向きと同じ向きの円弧面に形成することもできる。
【００２３】
このように、上記柱部の両側面を、隣り合う柱部間のポケット間に収容した玉の円弧の向きと同じ向きの円弧面に形成すると、ポケット内における玉の挙動が安定化する。この円弧面の曲率半径は、玉の曲率半径よりも大きくすることにより、柱部両側面の外径側と内径側の角部と玉との接触を回避して、玉の傷つきを防止することができる。さらに、柱部両側面の外径側と内径側の角部と玉との接触を防止するために、柱部両側面の外径側と内径側の角部を円弧面にすることが好ましい。
【００２４】
さらに、この発明は、柱部の先端面の外径側と内径側のコーナー部を円弧面に形成することにより、玉のカチ込み作業中に作業員の手が各コーナー部に当たっても、角ばりによる怪我を防止することができる。
【００２５】
また、この発明の保持器は、金属板を打ち抜き加工し、その後、柱部の側面を決め押し成型することにより得られる。
【００２６】
このように、柱部の側面を決め押し成型すると、決め押し成型面は打ち抜き断面によりも精度のよい綺麗な面になるため、玉の傷つきを防止することができる。
【発明の効果】
【００２７】
この発明によれば、保持器の各ポケットへの玉の収納を容易にすることができ、組み立て作業の効率化を図ることができる。
【００２８】
また、保持器の柱部の角部を円弧面にすることにより、カチ込み作業中における作業員の怪我を未然に防止することができる。
【００２９】
さらに、この発明によれば、玉への潤滑性能を向上させることができ、また、各ポケット内での玉の安定性を向上させることができるので、玉と保持器との摩擦抵抗が抑えられ、一層の高速運転が可能になる。
【発明を実施するための最良の形態】
【００３０】
以下、この発明の実施の形態を添付図面に基づいて説明する。
【００３１】
この発明に係る保持器付自動調心玉軸受は、図１及び図２に示すように、互いに同心に組み合わされた外輪１と内輪２との間に、複数の玉３、３を転動自在に配列している。そして、保持器４により、内輪２、玉３、保持器４が軸受中心の周りを自由に回転した際においても、玉３が外方へ抜け出すことを防止している。
【００３２】
上記外輪１の内周面には、図２に示すように、単一の中心を有する球状凹面である外輪軌道５を形成している。また、内輪２の外周面には、それぞれが上記外輪軌道５と対向する、１対の内輪軌道６、６を形成している。
【００３３】
上記保持器付自動調心ころ軸受は、例えばハウジングの内側に回転軸を支承する場合、外輪１をハウジングに内嵌固定し、内輪２を回転軸に外嵌固定して使用する。回転軸と共に内輪２が回転する場合には、複数の玉３、３が転動して、この回転を許容する。ハウジングの軸心と回転軸の軸心とがずれた場合、外輪１の中心軸に対し内輪２の中心軸を傾斜させることにより、外輪１の内側で内輪２が調心され、このずれを修正する。この場合において、外輪軌道５は単一球面状に形成されているため、上記複数の玉３、３の転動は、ずれ修正後においても、円滑に行なわれる。
【００３４】
この発明に係る自動調心ころ軸受の保持器４は、図２及び図３に示すように、上記両列の玉３、３同士の間に配置される円環状のリム部７と、このリム部７の両側面の外周縁に、円周方向にそれぞれ等間隔で配置される柱部８とを有し、リム部７の各側面の円周方向に隣り合う柱部８間に上記玉３を転動自在に保持するポケット９を備え、隣り合う柱部８、８の先端側の間隔をポケット９に収容する玉３の直径よりも狭くし、玉３がポケット９の軸方向側方へ抜け止めする玉抜け止め部１０を柱部８の側面に形成している。図３の保持器４を軸方向から見た図４には、玉抜け止め部１０を矢印Ａで示している。また、上記円環状のリム部７の内径側には、各柱部８に対応して、隣り合う玉３同士が干渉しないようにする補助柱部１１を設けている。
【００３５】
図４に示すように、円周方向に隣り合う柱部８の玉抜け止め部１０間の間隔は、玉３の直径よりも狭く形成されている。したがって、保持器付自動調心ころ軸受を組み立てる場合、まず、図５に示すように、内輪２の外周に保持器４を嵌めた状態で、図４に示すように、隣り合う柱部８、８間に、側方から玉３をカチ込み、保持器４の各ポケット９に各玉３を収容している。図４の矢印Ｂは、玉３のカチ込み方向を示している。そして、各ポケット９に玉３が収容されると、玉３は、隣り合う柱部８、８の玉抜け止め部１０と、内輪２の内輪軌道６、６の外側壁との３点により、軸方向の外方への抜け止めが図られる。図５は、内輪２の外周に、保持器４を嵌め、保持器４の各ポケット９に玉３を収容した状態を示している。
【００３６】
このように、保持器４の各ポケット９への玉３の収納は、図４に示すように、隣り合う柱部８、８間に側方から玉３をカチ込みすることによって行っているので、柱部８、８間のカチ込み代が大きい場合には、大きなカチ込み力を要し、組み立て作業に手間が掛かると共に、組み立て作業員がカチ込みの際に、勢い余って手を滑らして手を柱部８によって傷つける恐れがある。
【００３７】
このため、この発明では、隣り合う柱部８間に側方から玉３をカチ込み易くするために、隣り合う柱部８の側面に形成した玉抜け止め部１０よりもリム部７側の柱部８に、玉抜け止め部１０の柱部８の幅よりも細幅の括れ部１２を設けている。このように、柱部８に、玉抜け止め部１０の柱部８の幅よりも細幅の括れ部１２を設けると、隣り合う柱部８間に側方から玉３をカチ込む際に、括れ部分１２で柱部８が広がる方向に撓み、隣り合う柱部８間に玉３を容易に収容することができる。
【００３８】
次に、この発明では、柱部８の玉抜け止め部１０から先端側部分に、隣り合う柱部８間のポケット９間隔が広がる傾斜ガイド１３を設けている。
【００３９】
このように、傾斜ガイド１３を設けると、隣り合う柱部８間に側方から玉３をカチ込む際に、玉３は柱部８の先端部分の傾斜ガイド１３に当たるので、玉３を傾斜ガイド１３に沿って押し込むと、傾斜ガイド１３によって隣り合う柱部８が互いに広がり、玉３が柱部８の玉抜け止め部１０を乗り越えて、柱部８間のポケット９に玉３が容易に収まる。
【００４０】
この発明の保持器４の柱部８は、玉抜け止め部１０を挟んで先端側に傾斜ガイド１３、リム部７側に細幅の括れ部１２が形成されているので、全体としては矢じり形状をしている。
【００４１】
上記保持器４は、図７に示す形状の打ち抜き金属板１４から次のようにして製造することができる。金属板１４には、リム部７を形成する円環部分の外周縁と内周縁に、矢じり形状の柱部８と補助柱部１１を、リム部７の両側分の数だけ配列し、隣会う柱部８と補助柱部１１をそれぞれ一つずつ逆向き、即ち図７の矢印Ｃ、Ｄが逆向きになるように、絞り加工により折り曲げることによって保持器４を製造することができる。
【００４２】
上記金属板１４の材質としては、鉄系または銅系のものを使用することができる。
【００４３】
上記のように、保持器４を金属板１４の打ち抜きによって形成した場合、打ち抜き断面のままだと、保持器４の柱部８の各コーナー部が角ばったままになる。この柱部８の角部と玉３が接触すると、玉３を傷つける恐れがあると共に、角部で潤滑油が掻き取られ、潤滑性能を低下させる恐れがある。また、各柱部８と玉３とが角当たりすると、各ポケット９内での玉３の安定性に欠ける。
【００４４】
このため、この発明では、金属板１４を打ち抜いた後、柱部８の各側面を、図６の（ａ）、（ｂ）、（ｃ）、（ｄ）のような形状に決め押し成型して、柱部８と玉３との角当たりをなくしている。
【００４５】
図６の（ａ）、（ｂ）、（ｃ）、（ｄ）は、図５に矢印Ｅで囲った部分を拡大したものである。
【００４６】
まず、図６（ａ）は、上記柱部８の両側面を、内径側から外径側に向かって隣り合う柱部８間のポケット９間隔が狭まる傾斜面にした例である。
【００４７】
この図６（ａ）のように、上記柱部８の側面を傾斜面１５にすると、柱部８の側面が、玉３の円弧面に沿う方向に傾斜するため、柱部８の角部が玉３に角当たりすることがなく、潤滑油の掻き取りを防止し、玉３を安定した状態でポケット９内に収容することができる。
【００４８】
次に、図６（ｂ）は、上記柱部８の側面を、隣り合う柱部８間のポケット９間に収容した玉３の円弧の向きと逆向きの円弧面１６に形成した例である。
【００４９】
この図６（ｂ）のように、上記柱部８の側面を、玉３の円弧の向きと逆向きの円弧面１６に形成することにより、柱部８の角部が玉３に角当たりすることがなく、玉３の円弧と柱部８の逆向きの円弧により、玉３と柱部８との接触部分の両側に潤滑油溜め１７ができ、潤滑効果が向上すると共に、玉３への傷つきを防止することができる。また、玉３と柱部８との接触面積が小さくなるため、接触抵抗が抑えられ、低トルク化が図れる。
【００５０】
次に、図６（ｃ）は、図６（ａ）の傾斜面１５の外径側の両側コーナー部を、円弧面１８にした例である。
【００５１】
図６（ｃ）のように、外径側の両側コーナー部を円弧面１８にすると、玉のカチ込み作業中に作業員の手がコーナー部に当たっても、角ばりによる怪我を防止することができる。
【００５２】
次に、図６（ｄ）は、上記柱部８の両側面を、隣り合う柱部間のポケット９間に収容した玉の円弧の向きと同じ向きの円弧面１９に形成した例である。
【００５３】
このように、上記柱部８の両側面を、隣り合う柱部間のポケット間に収容した玉の円弧の向きと同じ向きの円弧面１９に形成すると、ポケット９内における玉３の挙動が安定化する。この円弧面１９の曲率半径は、玉３の曲率半径よりも大きくすることにより、柱部８両側面の外径側と内径側の角部と玉３との接触を回避して、玉３の傷つきを防止することができる。柱部８両側面の外径側と内径側の角部と玉３との接触を防止するために、柱部８両側面の外径側と内径側の角部を円弧面２０にすることが好ましい。
【００５４】
次に、柱部８の両側面の外径側と内径側のコーナー部以外のコーナー部、即ち、柱部８の先端面の外径側と内径側のコーナー部は、図８に示すように、円弧面２１に形成するが好ましい。これにより、柱部８の各コーナー部分の角ばりによる怪我を一層防止することができる。
【００５５】
また、上記のように、柱部の側面を決め押し成型すると、決め押し成型面は打ち抜き断面によりも精度の良い綺麗な面に仕上がるため、玉の傷つきを防止することができる。
【００５６】
以上のように、この発明によれば、保持器４の各ポケット９への玉３の収納を容易にすることができ、組み立て作業の効率化を図ることができる。
【００５７】
また、保持器４の柱部８の各角部を円弧面１８、２０、２１にすることにより、カチ込み作業中における作業員の怪我を未然に防止することができる。
【００５８】
さらに、この発明によれば、玉３への潤滑性能が向上させることができ、また、各ポケット９内での玉３の安定性を向上させることができるので、玉３と保持器４との摩擦抵抗が抑えられ、一層の高速運転が可能になる。
【図面の簡単な説明】
【００５９】
【図１】この発明の保持器付自動調心玉軸受の実施形態を示す一部切り欠き斜視図
【図２】同上の実施形態における部分縦断面図
【図３】同上の実施形態における保持器の正面図
【図４】図３の保持器を軸方向から見た玉のカチ込み状態を示す一部省略断面図
【図５】同上の実施形態における内輪の外周に保持器と玉を組み込んだ状態を示す斜視図
【図６】（ａ）〜（ｄ）は同上の実施形態における保持器の柱部の側面形状の変更例を示す一部省略拡大図
【図７】同上の実施形態における保持器の展開図
【図８】同上の実施形態における保持器の柱部の先端面の形状を示す拡大図
【図９】従来例の保持器付自動調心玉軸受を示す一部切り欠き斜視図
【図１０】従来例の部分縦断面図
【図１１】従来例の保持器の正面図
【図１２】従来例の保持器の展開図
【図１３】従来例における内輪の外周に保持器と玉を組み込んだ状態を示す斜視図
【図１４】従来例における玉のカチ込み状態を示す一部省略断面図
【図１５】従来例における玉と柱部との接触状態を示す一部省略拡大図
【符号の説明】
【００６０】
１  外輪
２  内輪
３  玉
４  保持器
５  外輪軌道
６  内輪軌道
７  リム部
８  柱部
９  ポケット
１０  玉抜け止め部
１１  補助柱部
１２  括れ部
１３  傾斜ガイド
１４  金属板
１５  傾斜面
１６  円弧面
１７  潤滑油溜め
１８  円弧面
１９  円弧面
２０  円弧面
２１  円弧面
【図１】
2010121649.tif 000003
【図２】
2010121649.tif 000004
【図３】
2010121649.tif 000005
【図４】
2010121649.tif 000006
【図５】
2010121649.tif 000007
【図６】
2010121649.tif 000008
【図７】
2010121649.tif 000009
【図８】
2010121649.tif 000010
【図９】
2010121649.tif 000011
【図１０】
2010121649.tif 000012
【図１１】
2010121649.tif 000013
【図１２】
2010121649.tif 000014
【図１３】
2010121649.tif 000015
【図１４】
2010121649.tif 000016
【図１５】
2010121649.tif 000017